(57)【要約】      （修正有）【課題】通信カラオケ端末での利用者の歌唱に対する歌唱採点に応じて所定の対応表示をさせる通信カラオケ管理システムに関し、歌唱後の歌唱採点に基づいて特別な歌唱評価への次段階の利用形態を提唱して利用喚起を図る。【解決手段】所定の通信カラオケ端末より送られてきた所定利用者による歌唱採点に基づいて、ランキング演算手段で他の利用者との順位を演算し、誘導表示判断手段において予め設定された順位によってオーディションまたは歌唱検定の対象とさせるか否かを判断し、ファイルデータ転送手段が例えばオーディションの対象とされたときに、対応の通信カラオケ端末において、当該特別な歌唱評価を当該利用者に選択させるための誘導表示を含めたファイル表示をさせるためのファイルデータを当該通信カラオケ端末に転送する構成とする。【選択図】図８
2006011236.tif 000002
【特許請求の範囲】
【請求項１】
利用者による歌唱を採点する歌唱採点手段を備える所定数の通信カラオケ端末と通信ネットワークを介して接続するための通信手段を備え、特別な歌唱評価を行うための利用者の歌唱データを保持する手段を備える通信カラオケ管理システムであって、
前記通信カラオケ端末の各利用者の所定情報および登録者ＩＤを各利用者毎に格納する第１格納手段と、
前記通信カラオケ端末の各利用者の歌唱採点に基づく各利用者間の順位を、当該利用者の所定情報と共にランキングデータとして格納する第２格納手段と、
所定の前記通信カラオケ端末より送られてきた所定の利用者による前記登録者ＩＤおよび歌唱採点に基づいて、他の利用者の歌唱採点と比較して順位を演算するランキング演算手段と、
前記所定の特別な歌唱評価の対象とさせるための基準条件が予め設定され、所定の前記通信カラオケ端末より送られてきた所定の利用者による歌唱採点および前記ランキング演算手段で演算された順位の少なくとも一方に基づいて上記基準条件と比較して上記特別な歌唱評価の対象とさせるか否かを判断する誘導表示判断手段と、
前記誘導表示判断手段で前記所定の特別な歌唱評価の対象とされたときに、対応の前記通信カラオケ端末において、当該特別な歌唱評価を当該利用者に選択させるための誘導表示を含めたファイル表示をさせるためのファイルデータを当該通信カラオケ端末に転送するためのファイルデータ転送手段と、
を有することを特徴とする通信カラオケ管理システム。
【請求項２】
請求項１記載の通信カラオケ管理システムであって、前記特別な歌唱評価は、少なくともオーディションを含み、当該オーディションおよび歌唱検定であることを特徴とする通信カラオケ管理システム。
【請求項３】
請求項１または２記載の通信カラオケ管理システムであって、前記第１格納手段が少なくとも前記所定の特別な歌唱評価の対象とさせるための付加条件を格納し、前記誘導表示判断手段において前記所定の特別な歌唱評価の対象とさせるための基準条件および付加条件が予め設定され、所定の前記通信カラオケ端末より送られてきた所定の利用者による歌唱採点および前記ランキング演算手段で演算された順位の少なくとも一方に基づいて上記基準条件と比較し、前記登録者ＩＤに基づいて前記第１格納手段から抽出した上記条件を参照して上記特別な歌唱評価の対象とさせるか否かを判断することを特徴とする通信カラオケ管理システム。
【請求項４】
請求項２または３記載の通信カラオケ管理システムであって、前記誘導表示判断手段は、前記ランキング演算手段で演算された順位および歌唱採点の少なくとも一方を基準条件とし、当該基準条件を満たし、かつ前記付加条件に合致した場合にオーディションに誘導する誘導表示を含めたファイル表示をさせるためのファイルデータを前記ファイルデータ転送手段より転送させることを特徴とする通信カラオケ管理システム。
【請求項５】
請求項２または３記載の通信カラオケ管理システムであって、前記誘導表示判断手段は、前記ランキング演算手段で演算された順位および歌唱採点の少なくとも一方を基準条件とし、当該基準条件を満たし、かつ前記付加条件に合致しなかった場合に前記歌唱検定に誘導する誘導表示を含めたファイル表示をさせるためのファイルデータを前記ファイルデータ転送手段より転送させることを特徴とする通信カラオケ管理システム。
【発明の詳細な説明】
【技術分野】
【０００１】
本発明は、通信カラオケ端末での利用者の歌唱に対する歌唱採点に応じて所定の対応表示をさせる通信カラオケ管理システムに関する。
【背景技術】
【０００２】
近年、通信カラオケの施設が全国的に広がりを見せ、記憶技術や記録技術の発展、また通信技術の発展により利用者に対して種々のサービスを提供することができるようになってきている。例えば、利用者の歌唱に対する歌唱力の判定も通信カラオケの利用を喚起させるサービスとして広がりを見せている。一方で通信カラオケの利用拡大を図るために遊び方等の提唱も望まれる。
【０００３】
従来、通信カラオケを利用する利用者に対するサービスして、例えば歌唱力の判定、歌唱力に応じた級段位を認定する歌唱検定やプロフェッショナルへの道を開くオーディション等がある。例えば、オーディション機能を備えて利用者にその種のサービスを提供することが以下の特許文献等で提案されている。
【０００４】
【特許文献１】特開平１０-２６９９３号公報
【特許文献２】特開２０００−２３１３９２号公報
【０００５】
上記特許文献１では、オーディション機能を備えるカラオケ装置として、カラオケ採点装置により利用者の歌唱による音声信号を用いて採点を行い、当該採点に応じて複数の能力段階に分類し、分類された能力段階の名称を表示させることが提案されている。また、上記特許文献２では、オーディション機能を備えた通信カラオケシステムとして、オーディション用サーバを備えるデータベースと端末とが通信回路網で接続され、端末において録音された歌唱データをオーディション用サーバに送信し、当該サーバ側で審査員が審査して評価格付けを行い、端末側に配信することが提案されている。
【発明の開示】
【発明が解決しようとする課題】
【０００６】
しかしながら、通信カラオケの利用者が上記のようなオーディション機能や歌唱検定を利用する場合には、当該通信カラオケ装置でこれらを選択した後に歌唱を行うもので、利用者にとっては緊張等により実力を発揮できない場合が多く、当該オーディション機能や歌唱検定の利用頻度を低下させているという問題がある。
【０００７】
そこで、本発明は上記課題に鑑みなされたもので、歌唱後の歌唱採点に基づいて特別な歌唱評価への次段階の利用形態を提唱して利用喚起を図る通信カラオケ管理システムを提供することを目的とする。
【課題を解決するための手段】
【０００８】
上記課題を解決するために、請求項１の発明では、利用者による歌唱を採点する歌唱採点手段を備える所定数の通信カラオケ端末と通信ネットワークを介して接続するための通信手段を備え、特別な歌唱評価を行うための利用者の歌唱データを保持する手段を備える通信カラオケ管理システムであって、前記通信カラオケ端末の各利用者の所定情報および登録者ＩＤを各利用者毎に格納する第１格納手段と、前記通信カラオケ端末の各利用者の歌唱採点に基づく各利用者間の順位を、当該利用者の所定情報と共にランキングデータとして格納する第２格納手段と、所定の前記通信カラオケ端末より送られてきた所定の利用者による前記登録者ＩＤおよび歌唱採点に基づいて、他の利用者の歌唱採点と比較して順位を演算するランキング演算手段と、前記所定の特別な歌唱評価の対象とさせるための基準条件が予め設定され、所定の前記通信カラオケ端末より送られてきた所定の利用者による歌唱採点および前記ランキング演算手段で演算された順位の少なくとも一方に基づいて上記基準条件と比較して上記特別な歌唱評価の対象とさせるか否かを判断する誘導表示判断手段と、前記誘導表示手段で前記所定の特別な歌唱評価の対象とされたときに、対応の前記通信カラオケ端末において、当該特別な歌唱評価を当該利用者に選択させるための誘導表示を含めたファイル表示をさせるためのファイルデータを当該通信カラオケ端末に転送するためのファイルデータ転送手段と、を有する構成とする。
【０００９】
請求項２〜５の発明では、「前記特別な歌唱評価は、少なくともオーディションを含み、当該オーディションおよび歌唱検定である」構成であり、
「前記第１格納手段が少なくとも前記所定の特別な歌唱評価の対象とさせるための付加条件を格納し、前記誘導表示判断手段において前記所定の特別な歌唱評価の対象とさせるための基準条件および付加条件が予め設定され、所定の前記通信カラオケ端末より送られてきた所定の利用者による歌唱採点および前記ランキング演算手段で演算された順位の少なくとも一方に基づいて上記基準条件と比較し、前記登録者ＩＤに基づいて前記第１格納手段から抽出した上記条件を参照して上記特別な歌唱評価の対象とさせるか否かを判断する」構成であり、
「前記誘導表示判断手段は、前記ランキング演算手段で演算された順位および歌唱採点の少なくとも一方を基準条件とし、当該基準条件を満たし、かつ前記付加条件に合致した場合にオーディションに誘導する誘導表示を含めたファイル表示をさせるためのファイルデータを前記ファイルデータ転送手段より転送させる」構成であり、
「前記誘導表示判断手段は、前記ランキング演算手段で演算された順位および歌唱採点を基準条件とし、当該基準条件を満たし、かつ前記付加条件に合致しなかった場合に前記歌唱検定に誘導する誘導表示を含めたファイル表示をさせるためのファイルデータを前記ファイルデータ転送手段より転送させる」構成である。
【発明の効果】
【００１０】
本発明によれば、所定の通信カラオケ端末より送られてきた所定の利用者による登録者ＩＤおよび歌唱採点に基づいて、他の利用者の歌唱採点と比較して順位を演算し、所定の特別な歌唱評価の対象とさせるための基準条件が予め設定されて上記歌唱採点および演算された順位に基づいて上記基準条件と比較して上記特別な歌唱評価の対象とさせるか否かを判断し、所定の特別な歌唱評価の対象とされたときに、対応の前記通信カラオケ端末において、当該特別な歌唱評価を当該利用者に選択させるための誘導表示を含めたファイル表示をさせるためのファイルデータを当該通信カラオケ端末に転送する構成とすることにより、歌唱後の歌唱採点に基づいてオーディション等の特別な歌唱評価への利用形態を提唱することができ、利用喚起を図ることができるものである。
【発明を実施するための最良の形態】
【００１１】
以下、本発明の最良の実施形態を図により説明する。
図１に、本発明に係る通信カラオケ管理サーバのネットワーク接続状況の模式図を示す。通信カラオケ管理システムとしての通信カラオケ管理サーバ１１は、歌唱採点手段を備える所定数の通信カラオケ端末を、登録利用者と共に通信ネットワークを介して管理するシステムとして、一般公衆電話回線やこれを用いたＡＤＳＬあるいはインターネット、さらには、ＬＡＮなどの通信ネットワーク１２上に接続される。上記通信ネットワーク１２上には、利用者による歌唱を採点する歌唱採点手段を備える所定数の通信カラオケ端末１３（１３Ａ〜１３Ｎ）が接続されるもので、例えば、カラオケ演奏装置で使用されるディスプレイ付きリモコン装置等の遠隔入出力装置１４（１４Ａ〜１４Ｎ）がそれぞれ備えられる。
【００１２】
そこで、図２に本発明に係る通信カラオケ管理サーバのブロック構成図を示すと共に、図３に図２の登録者ＤＢおよびランキングＤＢに記憶されるデータ内容の一例の説明図を示す。図２において、通信カラオケ管理サーバ１１は、適宜、制御手段２１、バス２２、通信手段２３、ＲＡＭ２４、設定手段２５、ランキング演算手段２６、誘導表示判断手段２７、ファイルデータ転送手段２８、ＤＢ管理手段２９、第１格納手段である登録者ＤＢ（データベース）３０、第２格納手段であるランキングＤＢ３１および評価対象ＤＢ３１を備える。なお、上記ＤＢ管理手段２９、登録者ＤＢ３０、ランキングＤＢ３１および評価対象ＤＢ３２は、当該サーバ内ではなく外部のＤＢサーバまたは外部記憶装置として、全部または個別に設置される構成としてもよい。
【００１３】
ここで、上記登録者ＤＢ３０は、通信カラオケ端末１３（１３Ａ〜１３Ｎ）の各利用者が例えば会員として予め所定情報を格納しておくもので、その所定情報としては、例えば、図３（Ａ）に示すように、登録者ＩＤ、氏名、セカンドネーム、郵便番号、住所、電話、年齢、性別が含まれ、適宜、登録者の顔写真等のイメージファイル名が関連づけられている。当該各イメージファイルは、図示しないが、当該登録者ＤＢ３０に設けられたフォルダに格納される。
【００１４】
上記ランキングＤＢ３１は、後述のランキング演算手段２６で演算された各利用者のランキングの情報を格納するもので、ランキングの順位等によって随時更新されるものである。例えば、図３（Ｂ）に示すように、登録者ＩＤ、セカンドネーム、歌唱採点、楽曲コードおよびイメージが関連付けられて各利用者の歌唱採点による順位が付された情報である。また、上記評価対象ＤＢ３２は、例えばオーディションまたは歌唱検定を選択した利用者の歌唱音声データを格納するもので、歌唱された通信カラオケ端末１３（１３Ａ〜１３Ｎ）より通信ネットワーク１２を介して送信されてきたものである。そして、これら登録者ＤＢ３０、ランキングＤＢ３１および評価対象ＤＢ３２に対して、情報の更新、閲覧（抽出）等が上記ＤＢ管理手段２９で管理されるものである。
【００１５】
上記制御手段２１は、このシステムを統括的に制御するもので、例えば物理的なＣＰＵに制御のためのプログラムが格納され、当該プログラムはＲＡＭ２４等に展開されて実行される。上記通信手段２３は、通信ネットワーク１２上の通信カラオケ端末１３およびその遠隔入出力装置１４との間で定められた通信プロトコルによって通信を行うためのもので、当該通信ネットワーク１２の通信方式と整合性をとるための例えば物理的な通信用回路やプラットフォーム等のソフトウエアにより構成される。上記ＲＡＭ２４は、種々のプログラムを展開、実行させるための作業領域としての役割をするものであり、例えば半導体メモリで構成され、仮想的にハードディスク上に構築される場合をも含む概念である。
【００１６】
上記設定手段２５は、所定の特別な歌唱評価としてのオーディションおよび歌唱検定の対象とさせるための基準条件およびオーディションへの参加のための付加条件を、図示しない入力手段等により予め設定させるためのもので、そのためのプログラムがＲＡＭ２５に展開されて実行される。ここでは、上記基準条件として後述のランキング演算手段２６で演算された所定順位以内（例えば１０位以内）とし、上記条件として所定年齢範囲（例えば１５才〜２５才）とする。なお、上記基準条件を歌唱採点に対する所定得点以上（例えば９０点以上）としてもよく、上記条件を年齢の他に地域、性別として適宜これらを組み合わせたものとしてもよい。
【００１７】
上記ランキング演算手段２６は、所定の通信カラオケ端末１３（１３Ａ〜１３Ｎ）より送られてきた所定の利用者による登録者ＩＤおよび歌唱採点で、ランキングＤＢ３１に格納されているランキングに基づいて他の利用者の歌唱採点と比較して順位を演算するもので、そのためのプログラムがＲＡＭ２４に展開されて実行される。
【００１８】
上記誘導表示判断手段２７は、上記設定手段２５で予め設定されオーディションまたは歌唱検定の対象とさせるための基準条件（順位）および付加条件（年齢）に基づいて、所定の通信カラオケ端末１３（１３Ａ〜１３Ｎ）より送られてきた所定の利用者による歌唱採点および上記ランキング演算手段２６で演算された順位に基づいて上記基準条件の順位と比較し、また登録者ＩＤに基づいて登録者ＤＢ３０から抽出した上記条件の年齢を参照してオーディションまたは歌唱検定の対象とさせるか否かを判断するもので、そのためのプログラムがＲＡＭ２４に展開されて実行される。
【００１９】
そして、上記ファイルデータ転送手段２８は、登録者ＩＤおよび歌唱採点を送ってきた対応の通信カラオケ端末１３（１３Ａ〜１３Ｎ）に表示させてオーディションまたは歌唱検定を当該利用者に選択させるために必要なファイル表示のためのファイルデータを転送するための手段であって、誘導表示判断手段２７でオーディションまたは歌唱検定の対象とされたときに、本実施例では、上記ランキング演算手段２６で演算された順位を含め、当該通信カラオケ端末への誘導表示のためのファイルデータを転送するもので、そのためのプログラムがＲＡＭ２５に展開されて実行される。なお、送られてきた歌唱採点がオーディションまたは歌唱検定の何れにも該当しない場合には、ランキング演算手段１６で演算した順位だけに基づいてファイル表示をする。
【００２０】
ここで、図４に、図１の通信カラオケ端末のブロック構成図を示す。図４に示す通信カラオケ端末１３（１３〜１３Ｎ）は、少なくとも、利用者による歌唱を採点する歌唱採点手段を備えるものとして、制御手段４１、バス４２、ＲＡＭ４３、記憶手段４４、歌唱採点手段４５、映像出力手段４６、表示手段４７、操作制御手段４８、音声入力手段４９、マイク５０、音楽曲出力手段５１、スピーカ５２、表示ファイル作成手段５３、送信ファイル作成手段５４、カード読取手段５５、送受信手段５６および通信手段５７を適宜備える。
【００２１】
上記制御手段４１は、このシステムを統括的に制御するもので、例えば物理的なＣＰＵに制御のためのプログラムが格納され、当該プログラムはＲＡＭ４３等に展開されて実行される。当該ＲＡＭ４３は、種々のプログラムを展開、実行させるための作業領域としての役割をするものであり、例えば半導体メモリで構成され、仮想的にハードディスク上に構築される場合をも含む概念である。
【００２２】
上記記憶手段４４は、例えばハードディスク（ＨＤＤ）等の記憶装置であり、楽曲元データ（ファイル）６１、楽曲コード（テーブル）６２、映像データ（ファイル）６３、登録者ＩＤ（メモリ）６４、採点ログ（ファイル）６５および歌唱音声データ（メモリ）６６を備える。楽曲元データ（ファイル）６１は、楽曲コード６２毎にデジタル的な楽曲データを保存するもので、当該楽曲（ファイル）コード６１は楽曲コードと楽曲名が関連付けられている。映像データ（ファイル）６３は、楽曲（コード）に対応した背景等の映像データを保存する。登録者ＩＤ（メモリ）６４は、利用者の保持する後述のＩＣカード７１より読み取った当該利用者の登録者ＩＤを一旦記憶する。採点ログ（ファイル）６５は、歌唱採点手段４５で採点した結果を当該登録者ＩＤに紐付けして歌唱毎に順次記憶する。そして、歌唱音声データ（メモリ）６６は、利用者の歌唱した歌唱音声データを当該登録者ＩＤおよび楽曲コードと共に一旦記憶し、当該利用者が歌唱後にオーディションまたは歌唱検定を選択したときに、通信カラオケ管理サーバ１１に送信されるもので、次曲が選択されるまで保持する（図７で説明する）。
【００２３】
上記歌唱採点手段４５は、例えば採点テーブルを備え、選択された楽曲元データに基づいて音楽曲出力手段５１でデジタル再生された楽曲の主旋律のピッチ基準条件と、マイク５２より入力されてくる歌唱データをデジタル変換したデジタル歌唱データから抽出した歌唱ピッチとを上記採点テーブルを参照して比較し、これを例えば１小節ごとの区間毎の比較した結果の得点として例えば平均することにより採点結果とするもので、そのためのプログラムがＲＡＭ４３に展開されて実行される。
【００２４】
上記映像出力手段４６は、遠隔入出力装置１４に種々の表示をさせるための映像を出力すると共に、選択された楽曲コードに対応した映像データを当該楽曲に同期させて表示手段４７に出力するもので、そのためのプログラムがＲＡＭ４３に展開されて実行される。遠隔入出力装置１５はＧＵＩ機能を付帯し、例えば液晶ディスプレイ（ＬＣＤ）とタッチセンサとを積層した入出力用の利用者インタフェイスが搭載され、当該タッチセンサにより楽曲の選択などのデータを入力することができるものである。そして、操作制御手段４８は、当該タッチセンサからの入力データを制御するもので、そのためのプログラムがＲＡＭ４３に展開されて実行される。
【００２５】
上記音声入力手段４９は、マイク５０からのアナログ音声データをＡ／Ｄコンバータ（図示省略）を介してデジタル変換する処理を主体とし、上記音楽曲出力手段５１は、記憶手段４４より選択された楽曲の楽曲元データ６１をデジタル再生してアナログ変換すると共に、上記マイク５０からのデジタル音声データをアナログ変換し、ミキシングしてスピーカ５２に出力する。
【００２６】
上記表示ファイル作成手段５３は、通信カラオケ端末１３やその付帯する遠隔入出力装置１４において、利用者の選曲、歌唱採点等を表示手段４７に表示させるためのファイルや、通信カラオケ管理サーバ１１からの表示ファイルおよびコマンドに応じたファイル表示をするためのファイルデータを転送するもので、そのためのプログラムがＲＡＭ４３に展開されて実行される。上記送信ファイル作成手段５４は、通信カラオケ管理サーバ１１に対して利用者（登録者）に関する所定の情報を送信する際に送信ファイルを作成するもので、そのためのプログラムがＲＡＭ４３に展開されて実行される。
【００２７】
上記カード読取手段５５は、登録者である利用者が所持する非接触型のＩＣカード（利用者カード）７１を読み取る装置であり、少なくとも利用者の登録者ＩＤを読み取る。上記送受信手段５６は、遠隔入出力装置１４との間で有線方式ないし無線方式（ブルートゥース機構のピコネット接続方式）を利用してデータ授受を行うためのもので、そのための回路基板およびプログラムを備える。当該遠隔入出力装置１４は当該通信カラオケ端末１３に対して種々の操作および表示が可能であり、上記操作制御手段４８によって当該操作信号が制御される。
【００２８】
そして、上記通信手段５７は、通信ネットワーク１２上の通信カラオケ管理サーバ１１との間で定められた通信プロトコルによって通信を行うためのもので、当該通信ネットワーク１２の通信方式と整合性をとるための例えば物理的な通信用回路やプラットフォーム等のソフトウエアにより構成されるものである。
【００２９】
そこで、図５に、図４の通信カラオケ端末における処理フローチャートを示す。図５において、まず通信カラオケ端末１３では、利用者が所持するＩＣカード７１がカード読取手段５５にセットされると、当該ＩＣカード７１より登録者ＩＤを読み取り、記憶手段４４のメモリ６４に一旦記憶する（ステップ（Ｓ）１）。
【００３０】
上記表示手段４７および遠隔入出力装置１４には、利用者が、例えば遠隔入出力装置１４より選択、指定した楽曲コードが入力されると、当該楽曲コードに応じた楽曲元データを記憶手段４４のテーブル６２を参照してファイル６１より抽出すると共に、映像データをファイル６３より抽出し、映像データに基づいて映像出力手段４６が表示手段４７に表示させると共に、楽曲元データに基づいて音楽曲出力手段５１がスピーカ５２より再生させる（Ｓ２）。
【００３１】
当該楽曲を利用者により歌唱されている際に、歌唱音声データが音声入力手段４９を介して歌唱採点手段４５に随時入力されると共に、当該歌唱音声データを随時記憶手段４４のメモリ６６に記憶していく（Ｓ３）。なお、メモリ６６に記憶されている歌唱音声データは次曲が選択されるまで保持される。歌唱採点手段４５では、上述のように、入力される歌唱信号に基づいて採点処理を行い（Ｓ４）、歌唱終了後に（Ｓ５）、最終的な採点処理を行う。当該採点処理の採点結果を映像出力手段４６が表示手段４７ないし遠隔入出力装置１５が付帯するＬＣＤ上に表示させると共に、記憶手段４４のファイル（採点ログ）６５を更新する（Ｓ６）。そして、一旦記憶した当該利用者の登録者ＩＤ、歌唱した楽曲コードおよび採点結果に基づいて送信ファイル作成手段５４が送信ファイルを作成して通信カラオケ管理サーバ１１に送信するものである（Ｓ７）。
【００３２】
続いて、図６に、図２の通信カラオケ管理システムにおける処理フローチャートを示す。なお、通信カラオケ管理システムとしての通信カラオケ管理サーバ１１では、上述のように、設定手段２５により上記基準条件をランキング演算手段２６で演算された所定順位以内（１０位以内）とし、上記条件を所定年齢範囲（１５才〜２５才）として説明する。
【００３３】
図６において、まず、通信ネットワーク１２を介して所定の通信カラオケ端末１３より、利用者の登録者ＩＤ、楽曲コードおよび採点結果の送信ファイルを受信すると（Ｓ１１）、制御手段２１の制御により受信した登録者ＩＤに基づいて登録者ＤＢ３０よりセカンドネームおよびイメージファイルを抽出し、楽曲コードおよび採点結果を含めてランキングＤＢ３１に記録する（Ｓ１２）。
【００３４】
そこで、ランキング演算手段２６が、ランキングＤＢ３１に記憶された当該利用者の歌唱採点に基づいて、他の登録者の歌唱採点と比較して当該登録者ＩＤの順位を演算する（Ｓ１３）。また、当該登録者ＩＤの順位と上記設定された基準条件の順位を比較し（Ｓ１４）、当該基準条件（順位）を満たしていなければ（Ｓ１５）、ファイルデータ転送手段２８が当該登録者ＩＤの順位およびランキングＤＢ３１より抽出した上位３位までのリストのデータを含めたファイル表示をする（Ｓ１６）。
【００３５】
一方、基準条件（順位）を満たしていれば（Ｓ１５）、誘導表示判断手段２７が、当該登録者ＩＤの登録者の年齢を、登録者ＤＢ３０を参照してオーディションの条件（年齢１５才〜２５才）に合致しているか否かを判断する（Ｓ１７）。合致していれば、ファイルデータ転送手段２８が、当該登録者ＩＤの順位およびランキングＤＢ３１より抽出した上位３位までのリストのデータと共に、オーディション誘導表示をさせるコマンドを含めたファイル表示をさせるためのファイルデータを作成する（Ｓ１８）。
【００３６】
また、合致していなければ、ファイルデータ転送手段２８が、当該登録者ＩＤの順位およびランキングＤＢ３１より抽出した上位３位までのリストのデータと共に、歌唱検定誘導表示をさせるコマンドを含めたファイル表示をさせるためのファイルデータを作成する（Ｓ１９）。そして、作成された上記何れかのファイル表示をさせるためのファイルデータを対応の通信カラオケ端末１３（１３Ａ〜１３Ｎ）に転送する（２０）。
【００３７】
続いて、図７に表示ファイル受信による通信カラオケ端末における処理フローチャートを示すと共に、図８に通信カラオケ端末上での表示形態の一例の説明図を示す。図７において、通信カラオケ端末１３（１３Ａ〜１３Ｎ）では、通信カラオケ管理サーバ１１より上記ファイルデータを受信すると（Ｓ２１）、表示ファイル作成手段５３は、当該表示ファイルが誘導表示でないときには（Ｓ２２）、図８（Ａ）に示すように、登録者ＩＤのイメージ８１、セカンドネーム８２、総合得点８３、順位８４および上位３位までのリスト８５を含めたファイル表示をする（Ｓ２３）。
【００３８】
一方、表示ファイル作成手段５３において、受信したファイルデータが誘導表示の場合には（Ｓ２２）、オーディションに誘導するかが判別される（Ｓ２４）。そして、オーディション誘導の場合には、図８（Ｂ）に示すように、当該登録者ＩＤのイメージ８１、セカンドネーム８２、順位８４及び上位３位までのリスト８５と共に、オーディション誘導表示（「オーディションにチャレンジ！！」）８６およびチャレンジボタン８７を含めたファイル表示をする（Ｓ２５）。このとき「総合得点」と「オーディションにチャレンジ！！」との表示を交互にさせる。
【００３９】
また、歌唱検定誘導の場合には（Ｓ２４）、図８（Ｃ）に示すように、当該登録者ＩＤのイメージ８１、セカンドネーム８２、順位８４及び上位３位までのリスト８５と共に、歌唱検定誘導表示（「歌唱検定にチャレンジ！！」）８８およびチャレンジボタン８７を含めたファイル表示をする（Ｓ２６）。このとき、「総合得点」と「歌唱検定にチャレンジ！！」との表示を交互にさせる。そして、上記作成された何れかの表示ファイルを表示手段４７上に表示させるものである（Ｓ２７）。
【００４０】
そこで、図８（Ｂ）、（Ｃ）のオーディション誘導表示または歌唱検定誘導表示において（Ｓ２８）、オーディション参加または歌唱検定参加のチャレンジボタン８７が選択されると（Ｓ２９）、送信ファイル作成手段５４が記憶手段４４の歌唱音声データ６６に記憶されている当該利用者の歌唱音声データを送信する送信ファイルを作成して通信カラオケ管理サーバ１１に送信する（Ｓ３０）。これにより、利用者はオーディションまたは歌唱検定のために再度歌唱する必要がなく、そのための緊張感を伴わずに歌唱させることができるものである。また、上記表示がＳ２３のように誘導表示でなく（Ｓ２８）、またチャレンジボタン８７が選択されずに他が選曲された場合には（Ｓ２９）、終了する。
【００４１】
そして、通信カラオケ管理サーバ１１では、当該利用者（登録者ＩＤ）の歌唱音声データを受信すると、評価対象ＤＢ３２に格納しておき、オーディションまたは歌唱検定に供するものである。
【００４２】
このように、利用者にとってオーディションや歌唱検定等を意識させずに歌唱させ、歌唱後の歌唱採点に基づいてオーディションや歌唱検定等の特別な歌唱評価への利用形態を提唱することができ、これによって利用喚起を図ることができるものである。
【００４３】
なお、上記実施形態では、オーディションと歌唱検定の何れかに誘導する表示を行わせる場合を示したが、オーディションのみに誘導するか否かとすることとしてもよい。また、オーディションに誘導するか否かを基準条件および付加条件で判断することととしたが、基準条件だけで行ってもよく、またオーディションは順位を基準とし、歌唱検定は歌唱採点を基準とすることとしてもよい。
【産業上の利用可能性】
【００４４】
本発明の通信カラオケ管理システムは、歌唱採点手段を備える所定数の通信カラオケ端末を、登録利用者の情報と共に通信ネットワークを介して管理するシステムに適する。
【図面の簡単な説明】
【００４５】
【図１】本発明に係る通信カラオケ管理システムのネットワーク接続状況の模式図である。
【図２】本発明に係る通信カラオケ管理システムのブロック構成図である。
【図３】図２の会員ＤＢおよびランキングＤＢに記憶されるデータ内容の一例を示した説明図である。
【図４】図１の通信カラオケ端末のブロック構成図である。
【図５】図４の通信カラオケ端末における処理フローチャートである。
【図６】図２の通信カラオケ管理システムにおける処理フローチャートである。
【図７】表示ファイル受信による通信カラオケ端末における処理フローチャートである。
【図８】通信カラオケ端末上での表示形態の一例の説明図である。
【符号の説明】
【００４６】
１１            通信カラオケ管理サーバ
１２            通信ネットワーク
１３            通信カラオケ端末
１４            遠隔入出力装置
２６            ランキング処理手段
２７            誘導表示判断手段
３０            登録者ＤＢ
３１            ランキングＤＢ
４５            歌唱採点手段
【図１】
2006011236.tif 000003
【図２】
2006011236.tif 000004
【図３】
2006011236.tif 000005
【図４】
2006011236.tif 000006
【図５】
2006011236.tif 000007
【図６】
2006011236.tif 000008
【図７】
2006011236.tif 000009
【図８】
2006011236.tif 000010